(57)【要約】【課題】本発明は、施工性を向上しつつ、複数の既存コンクリート壁の耐力を高めることを目的とする。【解決手段】耐震補強構造４０は、上下方向に連続するとともに、架構内に既存コンクリート壁３０がそれぞれ設けられた複数の既存架構２０と、複数の既存架構２０のうち、最上端にある既存架構２０を構成する上側既存梁２４Ｕに設けられ、上側既存梁２４Ｕによる既存コンクリート壁３０の拘束力を高める梁補強部６２と、を備える。【選択図】図１
2020084689.tif 000002
【特許請求の範囲】
【請求項１】
上下方向に連続するとともに、架構内に既存コンクリート壁がそれぞれ設けられた複数の既存架構と、
複数の前記既存架構のうち、最上端にある前記既存架構を構成する上側既存梁に設けられ、該上側既存梁による前記既存コンクリート壁の拘束力を高める梁補強部と、
を備える耐震補強構造。
【請求項２】
水平方向に連続するとともに、架構内に既存コンクリート壁がそれぞれ設けられた複数の既存架構と、
水平方向に連続する複数の前記既存架構の両端にあり、前記既存架構を構成する外側既存柱にそれぞれ設けられ、該外側既存柱による前記既存コンクリート壁の拘束力を高める柱補強部と、
を備える耐震補強構造。
【請求項３】
複数の前記既存架構は、水平方向及び上下方向に連続している、
請求項１又は請求項２に記載の耐震補強構造。
【発明の詳細な説明】
【技術分野】
【０００１】
本発明は、耐震補強構造に関する。
【背景技術】
【０００２】
鉄筋コンクリート造の既存梁に沿って構築され、既存梁を補強する鉄筋コンクリート造の補強梁が知られている（例えば、特許文献１参照）。
【先行技術文献】
【特許文献】
【０００３】
【特許文献１】特開平１０−１３１５１６号公報
【発明の概要】
【発明が解決しようとする課題】
【０００４】
ところで、上下方向や水平方向に連続する複数の既存架構に、既存コンクリート壁がそれぞれ設けられた構造物がある。このような構造物を補強する場合、例えば、複数の既存コンクリート壁をそれぞれ増打ち補強することが考えられる。
【０００５】
しかしながら、複数の既存コンクリート壁を増打ち補強するには、手間がかかる。
【０００６】
本発明は、上記の事実を考慮し、施工性を向上しつつ、複数の既存コンクリート壁の耐力を高めることを目的とする。
【課題を解決するための手段】
【０００７】
請求項１に記載の耐震補強構造は、上下方向に連続するとともに、架構内に既存コンクリート壁がそれぞれ設けられた複数の既存架構と、複数の前記既存架構のうち、最上端にある前記既存架構を構成する上側既存梁に設けられ、該上側既存梁による前記既存コンクリート壁の拘束力を高める梁補強部と、を備える。
【０００８】
請求項１に係る耐震補強構造によれば、複数の既存架構は、上下方向に連続するとともに、架構内に既存コンクリート壁がそれぞれ設けられている。また、上下方向に連続する複数の既存架構のうち、最上端にある既存架構を構成する上側既存梁には、梁補強部が設けられている。この梁補強部によって、上側既存梁による既存コンクリート壁の拘束力が高められる。
【０００９】
ここで、上側既存梁による既存コンクリート壁の拘束力が低い場合、地震時における既存コンクリート壁のせん断変形（回転変形）に対する上側既存梁の抵抗力が小さくなり、既存コンクリート壁が耐力を十分に発揮することができない可能性がある。
【００１０】
これに対して本発明では、前述したように、上側既存梁に梁補強部が設けられている。この梁補強部によって、上側既存梁による既存コンクリート壁の拘束力が高められる。この結果、地震時に、既存コンクリート壁が耐力を十分に発揮可能になるため、既存コンクリート壁の耐力が高められる。換言すると、上側既存梁による既存コンクリート壁の拘束力を高めることにより、既存コンクリート壁の耐力を高く評価することができる。
【００１１】
また、上下方向に連続する複数の既存架構のうち、最上端にある既存架構を構成する上側既存梁に梁補強部を設けることにより、上側既存梁の下方に連続する全ての既存コンクリート壁の拘束力が高められる。この結果、上側既存梁の下方に連続する全ての既存コンクリート壁の耐力が高められる。
【００１２】
このように本発明では、複数の既存コンクリート壁をそれぞれ補強せずに、複数の既存コンクリート壁の耐力を高めることができる。したがって、本発明では、施工性を向上しつつ、複数の既存コンクリート壁の耐力を高めることができる。
【００１３】
請求項２に記載の耐震補強構造は、水平方向に連続するとともに、架構内に既存コンクリート壁がそれぞれ設けられた複数の既存架構と、水平方向に連続する複数の前記既存架構の両端にあり、前記既存架構を構成する外側既存柱にそれぞれ設けられ、該外側既存柱による前記既存コンクリート壁の拘束力を高める柱補強部と、を備える。
【００１４】
請求項２に係る耐震補強構造によれば、複数の既存架構は、水平方向に連続するとともに、架構内に既存コンクリート壁がそれぞれ設けられている。また、水平方向に連続する複数の既存架構の両端にあり、既存架構を構成する外側既存柱には、柱補強部がそれぞれ設けられている。これらの柱補強部によって、外側既存柱による既存コンクリート壁の拘束力が高められる。
【００１５】
ここで、既存柱による既存コンクリート壁の拘束力が低い場合、地震時における既存コンクリート壁のせん断変形（回転変形）に対する既存架構の抵抗力が小さくなり、既存コンクリート壁が耐力を十分に発揮することができない可能性がある。
【００１６】
これに対して本発明では、前述したように、外側既存柱に柱補強部が設けられている。この柱補強部によって、外側既存柱による既存コンクリート壁の拘束力が高められる。この結果、地震時に、既存コンクリート壁が耐力を十分に発揮可能になるため、既存コンクリート壁の耐力が高められる。換言すると、既存柱による既存コンクリート壁の拘束力を高めることにより、既存コンクリート壁の耐力を高く評価することができる。
【００１７】
また、水平方向に連続する複数の既存架構の両端にあり、既存架構を構成する外側既存柱に柱補強部をそれぞれ設けることにより、両端の外側既存柱の間にある全ての既存コンクリート壁の拘束力が高められる。この結果、両端の外側既存柱の間にある全ての既存コンクリート壁の耐力が高められる。
【００１８】
このように本発明では、複数の既存コンクリート壁をそれぞれ補強せずに、複数の既存コンクリート壁の耐力を高めることができる。したがって、本発明では、施工性を向上しつつ、複数の既存コンクリート壁の耐力を高めることができる。
【００１９】
請求項３に記載の耐震補強構造は、請求項１又は請求項２に記載の耐震補強構造において、複数の前記既存架構は、水平方向及び上下方向に連続している。
【００２０】
請求項３に係る耐震補強構造によれば、複数の既存架構は、水平方向及び上下方向に連続している。これにより、本発明では、上下方向及び水平方向に連続する複数の既存架構の架構内にそれぞれ設けられた既存コンクリート壁の耐力を効率的に高めることができる。
【発明の効果】
【００２１】
以上説明したように、本発明に係る耐震補強構造によれば、施工性を向上しつつ、複数の既存コンクリート壁の耐力を高めることができる。
【図面の簡単な説明】
【００２２】
【図１】第一実施形態に係る耐震補強構造が適用された構造物を示す立面図である。
【図２】（Ａ）は、第一実施形態に係る耐震補強構造が適用される前の既存架構を示す図１の２−２線断面図に対応する断面図であり、（Ｂ）は、第一実施形態に係る耐震補強構造が適用された既存架構を示す図１の２−２線断面図である。
【図３】第二実施形態に係る耐震補強構造が適用された構造物を示す立面図である。
【図４】（Ａ）は、第一実施形態に係る耐震補強構造の変形例が適用される前の既存架構を示す図２（Ａ）に対応する断面図であり、（Ｂ）は、第一実施形態に係る耐震補強構造の変形例が適用された既存架構を示す図２（Ｂ）に対応する断面図である。
【図５】（Ａ）は、第一実施形態に係る耐震補強構造の変形例が適用される前の既存架構を示す図２（Ａ）に対応する断面図であり、（Ｂ）は、第一実施形態に係る耐震補強構造の変形例が適用された既存架構を示す図２（Ｂ）に対応する断面図である。
【図６】第一実施形態に係る耐震補強構造の変形例が適用される前の既存架構を示す図２（Ａ）に対応する断面図である。
【図７】第一実施形態に係る耐震補強構造の変形例が適用された既存架構を示す図２（Ｂ）に対応する断面図である。
【発明を実施するための形態】
【００２３】
（第一実施形態）
先ず、第一実施形態について説明する。
【００２４】
（既存構造物）
図１には、第一実施形態に係る耐震補強構造４０が適用された複数層からなる既存構造物（既存建物）１０が示されている。既存構造物１０は、上下方向及び水平方向に連続する既存架構２０を備えている。なお、各図に示される矢印Ｘは、既存構造物１０の上下方向を示し、矢印Ｙは、既存構造物１０の水平方向を示している。
【００２５】
（既存架構）
既存架構２０は、一対の既存柱２２と、上下の既存梁２４とを有している。一対の既存柱２２は、鉄骨造、鉄筋コンクリート造、又は鉄骨鉄筋コンクリート造とされている。この一対の既存柱２２には、上下の既存梁２４が架設されている。
【００２６】
図２（Ａ）及び図２（Ｂ）に示されるように、既存梁２４は、鉄骨造とされている。より具体的には、既存梁２４は、Ｈ形鋼によって形成されている。この既存梁２４は、上下方向に互いに対向する一対の上フランジ部２４Ａ及び下フランジ部２４Ｂと、上フランジ部２４Ａと下フランジ部２４Ｂとを接続するウェブ部２４Ｃとを有している。また、既存梁２４の上には、既存スラブ１２が設けられている。この既存梁２４には、既存コンクリート壁３０が接合されている。
【００２７】
なお、既存梁２４は、Ｈ形鋼に限らず、Ｉ形鋼やＣ形鋼であっても良い。
【００２８】
（既存コンクリート壁）
図１に示されるように、上下方向（矢印Ｘ方向）及び水平方向（矢印Ｙ方向）に連続する複数の既存架構２０のうち、一部の既存架構２０の架構内（構面内）には、既存コンクリート壁３０が設けられている。既存コンクリート壁３０は、上下方向及び水平方向に連続している。また、上下方向に連続する複数の既存コンクリート壁３０は、連層壁とされている。
【００２９】
既存コンクリート壁３０は、例えば、耐力壁や耐震壁、雑壁とされる。既存コンクリート壁３０は、一対の既存柱２２の間で、かつ、上下の既存梁２４の間に配置されている。この既存コンクリート壁３０は、図２（Ａ）及び図２（Ｂ）に示されるように、鉄筋コンクリート造とされており、内部に複数の壁筋３２が埋設されている。また、既存コンクリート壁３０は、例えば、スタッド２６を介して上下の既存梁２４に接合されている。
【００３０】
なお、本実施形態の既存コンクリート壁３０は、一対の既存柱２２にも接合されるが、既存コンクリート壁３０は、一対の既存柱２２に接合されなくても良い。
【００３１】
図１に示されるように、既存コンクリート壁３０が設けられた複数の既存架構２０（以下、「壁有既存架構２０Ｘ」という）は、立面視にて、矩形状に配列されている。また、立面視にて、複数の壁有既存架構２０Ｘの外周には、コンクリート壁（既存コンクリート壁）が架構内に設けられていない既存架構２０（以下、「壁無既存架構２０Ｙ」という）が設けられている。
【００３２】
複数の壁無既存架構２０Ｙは、複数の壁有既存架構２０Ｘの外周部に沿って上下方向又は水平方向に連続して配列されており、複数の壁有既存架構２０Ｘを囲んでいる。各壁無既存架構２０Ｙの架構内（構面内）には、前述したように、コンクリート壁が存在しておらず、開口部が形成されている。これらの壁有既存架構２０Ｘに、本実施形態に係る耐震補強構造４０が適用されている。
【００３３】
（耐震補強構造）
耐震補強構造４０は、複数の梁補強部６２を有している。複数の梁補強部６２は、上下方向に連続する複数の壁有既存架構２０Ｘのうち、最上端（最上階）にある既存架構２０を構成する上側の既存梁２４（以下、「上側既存梁２４Ｕ」という）に設けられている。また、本実施形態では、上下方向に連続する複数の壁有既存架構２０Ｘのうち、最上端（最上階）にある複数の既存架構２０において、水平方向に連続する複数の上側既存梁２４Ｕに、梁補強部６２がそれぞれ設けられている。
【００３４】
（梁補強部）
図２（Ｂ）に示されるように、梁補強部６２は、上側既存梁２４Ｕを増打ち補強する増打ち補強部とされている。この梁補強部６２は、断面矩形状に形成されている。この梁補強部６２の内部に、上側既存梁２４Ｕが埋設されている。また、梁補強部６２には、複数の上端梁主筋６４、複数の下端梁主筋６６、及び複数の接続筋６８，６９が埋設されている。
【００３５】
上端梁主筋６４は、梁補強部６２の上側の角部にそれぞれ埋設されている。また、下端梁主筋６６は、梁補強部６２の下側の角部にそれぞれ埋設されている。これらの上端梁主筋６４及び下端梁主筋６６は、上側既存梁２４Ｕに沿って配置されており、両端部が一対の既存柱２２（図１参照）に接続されている。なお、上端梁主筋６４及び下端梁主筋６６は、梁主筋の一例である。
【００３６】
接続筋６８は、上側既存梁２４Ｕの両側にそれぞれ配置されている。各接続筋６８は、梁補強部６２と既存スラブ１２とに亘って埋設されており、梁補強部６２と既存スラブ１２とを接合している。また、接続筋６９は、Ｌ字形状に屈曲されている。各接続筋６９は、梁補強部６２と既存コンクリート壁３０とに亘って埋設されており、梁補強部６２と既存コンクリート壁３０とを接合している。なお、接続筋６８，６９は、例えば、図示しないケミカルアンカー等の後施工アンカーを介して既存スラブ１２又は既存コンクリート壁３０に接続される。
【００３７】
このように構成された梁補強部６２によって、上側既存梁２４Ｕが鉄骨鉄筋コンクリート造とされている。これにより、上側既存梁２４Ｕによる既存コンクリート壁３０の拘束力が高められる。より具体的には、地震時における既存コンクリート壁３０のせん断変形（回転変形）を上から拘束する上側既存梁２４Ｕの拘束力が高められる。
【００３８】
（作用）
次に、第一実施形態の作用について説明する。
【００３９】
第一実施形態に係る耐震補強構造４０によれば、複数の壁有既存架構２０Ｘは、上下方向に連続するとともに、架構内に既存コンクリート壁３０がそれぞれ設けられている。また、複数の壁有既存架構２０Ｘのうち、最上端にある壁有既存架構２０Ｘを構成する上側既存梁２４Ｕには、梁補強部６２がそれぞれ設けられている。これらの梁補強部６２によって、上側既存梁２４Ｕによる既存コンクリート壁３０の拘束力が高められる。
【００４０】
ここで、上側既存梁２４Ｕによる既存コンクリート壁３０の拘束力が低い場合、地震時における既存コンクリート壁３０のせん断変形に対する上側既存梁２４Ｕの抵抗力が小さくなり、既存コンクリート壁３０が耐力を十分に発揮することができない可能性がある。
【００４１】
これに対して本実施形態では、前述したように、上側既存梁２４Ｕに梁補強部６２が設けられている。この梁補強部６２によって、上側既存梁２４Ｕによる既存コンクリート壁３０の拘束力が高められる。より具体的には、上側既存梁２４Ｕによって、地震時における既存コンクリート壁３０のせん断変形（回転変形）が上から押さえ込まれる。この結果、地震時に、既存コンクリート壁３０が耐力を十分に発揮可能になるため、既存コンクリート壁３０の耐力が高められる。換言すると、上側既存梁２４Ｕによる既存コンクリート壁３０の拘束力を高めることにより、既存コンクリート壁３０の耐力を高く評価することができる。
【００４２】
また、上側既存梁２４Ｕによる既存コンクリート壁３０の拘束力が高められると、当該既存コンクリート壁３０の直下（下階）にある既存コンクリート壁３０の拘束力も高められる。そのため、本実施形態では、上側既存梁２４Ｕの下方に連続する全ての既存コンクリート壁３０の拘束力が高められる。つまり、上側既存梁２４Ｕの下方に連続する全ての既存コンクリート壁３０の耐力が高められる。
【００４３】
このように本実施形態では、上下方向に連続する複数の既存コンクリート壁３０をそれぞれ補強せずに、複数の既存コンクリート壁３０の耐力を高めることができる。したがって、本実施形態では、施工性を向上しつつ、複数の既存コンクリート壁３０の耐力を高めることができる。
【００４４】
また、本実施形態では、上下方向の連続する複数の既存架構２０の最上端にある既存架構２０において、水平方向に連続する複数の上側既存梁２４Ｕに梁補強部６２がそれぞれ設けられる。これにより、水平方向に連続する複数の上側既存梁２４Ｕの下方に連続する全ての既存コンクリート壁３０の拘束力が高められる。この結果、水平方向に連続する複数の上側既存梁２４Ｕの下方に連続する全ての既存コンクリート壁３０の耐力が高められる。
【００４５】
このように本実施形態では、上下方向及び水平方向に連続する複数の壁有既存架構２０Ｘの架構内にそれぞれ設けられた既存コンクリート壁３０の耐力を効率的に高めることができる。
【００４６】
（第二実施形態）
次に、第二実施形態について説明する。なお、第二実施形態において、第一実施形態と同じ構成の部材等には、同符号を付して説明を適宜省略する。
【００４７】
図３には、第二実施形態に係る耐震補強構造５０が適用された複数層からなる既存構造物１０が示されている。第二実施形態に係る耐震補強構造５０は、複数の柱補強部５２を有している。
【００４８】
複数の柱補強部５２は、水平方向に連続する複数の壁有既存架構２０Ｘの両端にあり、既存架構２０を構成する外側の既存柱２２（以下、「外側既存柱２２Ｓ」という）にそれぞれ設けられている。また、本実施形態では、水平方向に連続する複数の既存架構２０の両端にある複数の既存架構２０において、上下方向に連続する複数の外側既存柱２２Ｓに、柱補強部５２がそれぞれ設けられる。
【００４９】
なお、図示を省略するが、柱補強部５２は、例えば、第一実施形態における梁補強部６２と同様に、外側既存柱２２Ｓを増打ち補強する増打ち補強部とされている。
【００５０】
（作用）
次に、第二実施形態の作用について説明する。
【００５１】
第二実施形態に係る耐震補強構造５０によれば、複数の既存架構２０は、水平方向に連続するとともに、架構内に既存コンクリート壁３０がそれぞれ設けられている。また、水平方向に連続する複数の既存架構２０の両端にあり、既存架構２０を構成する外側既存柱２２Ｓには、柱補強部５２がそれぞれ設けられている。これらの柱補強部５２によって、外側既存柱２２Ｓによる既存コンクリート壁３０の拘束力を高められる。
【００５２】
ここで、既存柱２２による既存コンクリート壁３０の拘束力が低い場合、地震時における既存コンクリート壁３０のせん断変形（回転変形）に対する既存架構２０の抵抗力が小さくなり、既存コンクリート壁３０が耐力を十分に発揮することができない可能性がある。
【００５３】
これに対して本実施形態では、前述したように、外側既存柱２２Ｓに柱補強部５２が設けられている。この柱補強部５２によって、外側既存柱２２Ｓによる既存コンクリート壁３０の拘束力が高められる。この結果、地震時に、既存コンクリート壁３０が耐力を十分に発揮可能になるため、既存コンクリート壁３０の耐力が高められる。換言すると、外側既存柱２２Ｓによる既存コンクリート壁３０の拘束力を高めることにより、既存コンクリート壁３０の耐力を高く評価することができる。
【００５４】
また、水平方向に連続する複数の既存架構２０の両端にあり、既存架構２０を構成する外側既存柱２２Ｓに柱補強部５２をそれぞれ設けることにより、両端の外側既存柱２２Ｓの間にある全ての既存コンクリート壁３０の拘束力が高められる。この結果、両端の外側既存柱２２Ｓの間にある全ての既存コンクリート壁３０の耐力が高められる。
【００５５】
このように本実施形態では、複数の既存コンクリート壁３０をそれぞれ補強せずに、複数の既存コンクリート壁３０の耐力を高めることができる。したがって、本実施形態では、施工性を向上しつつ、複数の既存コンクリート壁３０の耐力を高めることができる。
【００５６】
さらに、本実施形態では、水平方向に連続する複数の既存架構２０の両端にある複数の既存架構２０において、上下方向に連続する複数の外側既存柱２２Ｓに、柱補強部５２がそれぞれ設けられる。これにより、両端の外側既存柱２２Ｓの間にある全ての既存コンクリート壁３０の拘束力が高められる。この結果、両端の外側既存柱２２Ｓにある全ての既存コンクリート壁３０の耐力が高められる。
【００５７】
このように本実施形態では、上下方向及び水平方向に連続する複数の既存架構２０の架構内にそれぞれ設けられた既存コンクリート壁３０の耐力を効率的に高めることができる。
【００５８】
（変形例）
次に、上記第一実施形態及び第二実施形態の変形例について説明する。なお、以下では、主として上記第一実施形態を例に各種の変形例について説明するが、これらの変形例は第二実施形態にも適宜適用可能である。
【００５９】
上記第一実施形態では、上側既存梁２４Ｕが鉄骨造とされるが、上記実施形態はこれに限らない。例えば、図４（Ａ）に示されるように、上側既存梁７０は、鉄筋コンクリート造であっても良い。
【００６０】
具体的には、上側既存梁７０は、断面矩形状に形成されている。この上側既存梁７０の幅は、既存コンクリート壁３０の壁厚と同等とされている。この上側既存梁７０の上側の角部には、上端梁主筋７２がそれぞれ埋設されている。また、上側既存梁７０の下側の角部には、下端梁主筋７４がそれぞれ埋設されている。さらに、上側既存梁７０には、上端梁主筋７２及び下端梁主筋７４を囲むせん断補強筋７６が埋設されている。
【００６１】
上側既存梁７０は、例えば、図４（Ｂ）に示されるように、梁補強部８２によって補強される。梁補強部８２は、上側既存梁７０を増打ち補強する増打ち補強部とされている。この梁補強部８２は、上側既存梁７０及び既存コンクリート壁３０の両側にそれぞれ設けられている。
【００６２】
各梁補強部８２は、上側既存梁７０の側面を全面に亘って被覆するとともに、既存コンクリート壁３０の上部の壁面を被覆している。また、各梁補強部８２には、複数の接続筋６８，６９が埋設されている。なお、接続筋６８，６９は、例えば、図示しないケミカルアンカー等の後施工アンカーを介して既存スラブ１２又は既存コンクリート壁３０に接続される。さらに、各梁補強部８２の下部には、複数の補強筋８４が埋設されている。複数の補強筋８４は、上側既存梁７０の材軸方向に沿って配置されている。
【００６３】
このように構成された梁補強部８２によって上側既存梁７０を補強することにより、上側既存梁７０による既存コンクリート壁３０の拘束力が高められる。したがって、既存コンクリート壁３０の耐力が高められる。
【００６４】
また、例えば、図５（Ａ）には、鉄筋コンクリート造の上側既存梁８０が示されている。この上側既存梁８０は、断面矩形状に形成されている。この上側既存梁８０の幅は、既存コンクリート壁３０の壁厚よりも広くされている。
【００６５】
上側既存梁８０は、例えば、図５（Ｂ）に示されるように、梁補強部９２によって補強される。梁補強部９２は、既存コンクリート壁３０の両側で、かつ、上側既存梁８０の下側にそれぞれ設けられている。この梁補強部９２には、複数の接続筋９４及び複数の補強筋９６が埋設されている。
【００６６】
複数の接続筋９４は、Ｌ字状に屈曲されている。各接続筋９４は、既存コンクリート壁３０の上部と上側既存梁８０とに亘って埋設されており、既存コンクリート壁３０と上側既存梁８０とを接合している。また、複数の補強筋９６は、上側既存梁８０の材軸方向に沿って配置されている。なお、接続筋９４は、例えば、図示しないケミカルアンカー等の後施工アンカーを介して既存スラブ１２又は既存コンクリート壁３０に接続される。
【００６７】
このように構成された梁補強部９２によって上側既存梁８０を補強することにより、上側既存梁８０による既存コンクリート壁３０の拘束力が高められる。したがって、既存コンクリート壁３０の耐力が高められる。
【００６８】
また、例えば、図６では、鉄骨造の上側既存梁２４Ｕの外側に、既存コンクリート壁３０が設けられている。既存コンクリート壁３０は、例えば、外壁とされている。この既存コンクリート壁３０は、上側既存梁２４Ｕの側面に接合されている。
【００６９】
具体的には、既存コンクリート壁３０の上部は、コンクリート接合部３４を介して上側既存梁２４Ｕの側面に接合されている。コンクリート接合部３４は、上側既存梁２４Ｕの全長に亘って設けられている。また、コンクリート接合部３４は、既存コンクリート壁３０の上部と上側既存梁２４Ｕのウェブ部２４Ｃとに亘って設けられている。このコンクリート接合部３４は、鉄筋コンクリート造とされており、その内部に複数の接続筋３６が埋設されている。
【００７０】
接続筋３６は、Ｃ字形状に屈曲されており、既存コンクリート壁３０の上部と上側既存梁２４Ｕとの間に配置されている。また、複数の接続筋３６は、上側既存梁２４Ｕの材軸方向に間隔を空けて複数配置されている。各接続筋３６の一端側は、上側既存梁２４Ｕに溶接等によって接合されている。また、各接続筋３６の他端側は、既存コンクリート壁３０に埋設されている。このように複数の接続筋３６が埋設されたコンクリート接合部３４によって、上側既存梁２４Ｕと既存コンクリート壁３０とが接合されている。
【００７１】
上側既存梁２４Ｕは、例えば、図７に示されるように、梁補強部４２によって補強される。梁補強部４２は、上側既存梁２４Ｕの内側（既存コンクリート壁３０と反対側）の側面、及び下面を被覆する増打ち補強部（増打ちコンクリート補強部）とされている。また、梁補強部４２は、上側既存梁２４Ｕの全長に亘って設けられており、その両端部が一対の既存柱２２に接続されている。この梁補強部４２によって、上側既存梁２４Ｕの断面積が大きくされている。
【００７２】
梁補強部４２は、鉄筋コンクリート造とされており、その内部に複数の接続筋４４，４６、及び複数の補強筋４８が埋設されている。接続筋４４は、Ｌ字形状に屈曲されている。この接続筋４４の一端部は、例えば、図示しないケミカルアンカー等の後施工アンカーを介して既存コンクリート壁３０の上部に接続されている。また、接続筋４４の他端部は、例えば、後施工アンカーを介して既存スラブ１２に接続されている。この接続筋４４によって、梁補強部４２が既存コンクリート壁３０及び既存スラブ１２にそれぞれ接合されている。
【００７３】
接続筋４６は、上側既存梁２４Ｕの下側に配置されている。この接続筋４６の一端部は、例えば、後施工アンカーを介して既存コンクリート壁３０の上部に接続されている。また、接続筋４６の他端部は、梁補強部４２に埋設されている。この接続筋４６によって、既存コンクリート壁３０と梁補強部４２とが接合されている。また、複数の補強筋４８は、上側既存梁２４Ｕの材軸方向に沿って配置されている。
【００７４】
このように構成された梁補強部４２によって、上側既存梁２４Ｕを補強することにより、上側既存梁２４Ｕによる既存コンクリート壁３０の拘束力が高められている。したがって、既存コンクリート壁３０の耐力が高められる。
【００７５】
次に、上記第一実施形態では、梁補強部６２が増打ち補強とされているが、上記第一実施形態はこれに限らない。梁補強部は、上側既存梁２４Ｕによる既存コンクリート壁３０の拘束力を高めることができれば良く、例えば、リブ補強等であっても良い。これと同様に、上記第二実施形態では、柱補強部５２が増打ち補強とされているが、上記第二実施形態はこれに限らない。柱補強部は、外側既存柱２２Ｓによる既存コンクリート壁３０の拘束力を高めることができれば良く、例えば、カバープレート補強等であっても良い。
【００７６】
次に、上記第一実施形態では、水平方向に連続する複数の上側既存梁２４Ｕに梁補強部６２がそれぞれ設けられるが、梁補強部６２は、水平方向に連続する複数の上側既存梁２４Ｕの少なくとも１つに設けることができる。これと同様に、上記第二実施形態では、上下方向に連続する複数の外側既存柱２２Ｓに柱補強部５２がそれぞれ設けられるが、柱補強部５２は、上下方向に連続する複数の外側既存柱２２Ｓの少なくとも１つに設けることができる。
【００７７】
次に、上記第一実施形態では、複数の壁有既存架構２０Ｘが水平方向に連続しているが、壁有既存架構２０Ｘは、水平方向に連続していなくても良い。すなわち、上下方向に連続する一列の壁有既存架構２０Ｘのみによって既存構造物１０を構成するようにしても良い。これと同様に、上記第二実施形態では、複数の壁有既存架構２０Ｘが上下方向に連続しているが、壁有既存架構２０Ｘは、上下方向に連続していなくても良い。すなわち、水平方向に連続する一列の壁有既存架構２０Ｘのみによって既存構造物１０を構成するようにしても良い。
【００７８】
また、上記第一実施形態では、上下方向及び水平方向に連続する複数の壁有既存架構２０Ｘの外周に、複数の壁無既存架構２０Ｙが設けられるが、これらの壁無既存架構２０Ｙは、適宜省略可能である。すなわち、既存構造物１０の全てを耐震補強構造４０としても良いし、一部を耐震補強構造４０としても良い。また、例えば、図１において、水平方向に連続する複数の壁有既存架構２０Ｘの両側には、壁無既存架構２０Ｙに替えて壁有既存架構２０Ｘが設けられても良い。
【００７９】
また、上記第二実施形態では、上下方向及び水平方向に連続する複数の壁有既存架構２０Ｘの外周に、複数の壁無既存架構２０Ｙが設けられるが、これらの壁無既存架構２０Ｙは、適宜省略可能である。すなわち、既存構造物１０の全てを耐震補強構造５０としても良いし、一部を耐震補強構造５０としても良い。また、例えば、図３において、上下方向に連続する複数の壁有既存架構２０Ｘの上下には、壁無既存架構２０Ｙが設けられるが、壁無既存架構２０Ｙに替えて、壁有既存架構２０Ｘが設けられても良い。
【００８０】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８１】
１０    既存構造物
２０    既存架構
２０Ｘ  壁有既存架構（既存架構）
２２    既存柱
２２Ｓ  外側既存柱
２４Ｕ  上側既存梁
３０    既存コンクリート壁
４０    耐震補強構造
４２    梁補強部
５０    耐震補強構造
５２    柱補強部
６２    梁補強部
７０    上側既存梁
８０    上側既存梁
８２    梁補強部
９２    梁補強部
【図１】
2020084689.tif 000003
【図２】
2020084689.tif 000004
【図３】
2020084689.tif 000005
【図４】
2020084689.tif 000006
【図５】
2020084689.tif 000007
【図６】
2020084689.tif 000008
【図７】
2020084689.tif 000009